(57)【要約】【課題】架空線への装着が容易であるとともに、装着した架空線が筒状網体から脱落し難く、また経済性や耐久性に優れる架空線用プロテクターを提供することを目的とする。【解決手段】弾性を有する合成樹脂及び／又はゴムを主成分とする筒状網体２からなり、その周壁の一部に、網目が塞がれた所定幅の補強帯部２５を軸線方向にわたって直線状に形成するとともに、補強帯部２５に、周壁が内側に陥没する凹部３を軸線方向に連続して直線状に形成し、凹部３の底部にスリット３０を軸線方向に連続して直線状に形成する。【選択図】図１
2006060884.tif 000002
【特許請求の範囲】
【請求項１】
弾性を有する合成樹脂及び／又はゴムを主成分とする筒状網体からなり、その周壁の一部を内側に屈曲することにより形成された凹部を軸線方向に連続して形成するとともに、該凹部の底部にスリットを軸線方向に連続して形成したことを特徴とする架空線用プロテクター。
【請求項２】
筒状網体の目合いを、周方向のリング糸と軸線方向の直糸とが直交する角目に形成したことを特徴とする請求項１記載の架空線用プロテクター。
【請求項３】
横断面において、リング糸の断面係数が直糸よりも大きくなるようにしたことを特徴とする請求項２記載の架空線用プロテクター。
【請求項４】
リング糸の弾性率を直糸よりも大きくなるようにしたことを特徴とする請求項２又は３記載の架空線用プロテクター。
【請求項５】
筒状網体の目合いを、斜めの単糸が互いに交差する菱目に形成したことを特徴とする請求項１記載の架空線用プロテクター。
【請求項６】
横断面において、断面係数がより大きくなるよう単糸の断面形状を形成したことを特徴とする請求項５記載の架空線用プロテクター。
【請求項７】
網目が塞がれた所定幅の補強帯部を筒状網体に軸線方向にわたって形成し、該補強帯部に前記凹部とスリットを形成したことを特徴とする請求項１、２、３、４、５又は６記載の架空線用プロテクター。
【請求項８】
複数本の補強帯部を軸線方向に形成したことを特徴とする請求項１、２、３、４、５、６又は７記載の架空線用プロテクター。
【請求項９】
筒状網体の端部に、凹部とスリットを備えて他の筒状網体に外嵌する大径のスリーブを形成したことを特徴とする請求項１、２、３、５、６、７又は８記載の架空線用プロテクター。
【請求項１０】
筒状網体に炭素成分を均等に添加したことを特徴とする請求項１、２、３、５、６、７、８又は９記載の架空線用プロテクター。
【発明の詳細な説明】
【技術分野】
【０００１】
本発明は、電線やケーブル等の架空線を氷雪害や鳥害から護る架空線用プロテクターに関し、特に、架空線への装着が容易であるとともに、装着した架空線が筒状網体から脱落し難く、また経済性や耐久性に優れる架空線用プロテクターに関するものである。
【背景技術】
【０００２】
従来から、電線やケーブル等の架空線を氷雪害や鳥害から護る架空線用プロテクターが提案され、それらを必要とする現場で使用されている。
その一例として、筒状網体の周面に無孔の帯部を軸線方向に設け、該帯部の中心に沿ってスリットを設けた架空線用プロテクターが知られている（特許文献１参照）。
【０００３】
また、合成樹脂材料からなる筒状網体を軸線方向に切開してスリットを形成し、該スリットの両端部に左右又は上下対称に板状脚部又は補強リブを固着した架空線用プロテクターも提案されている（特許文献２参照）。
【０００４】
これらの架空線用プロテクターは、架空線への装着が容易で、かつ装着状態を長期にわたって確実に維持することを目的としているが、前者の特許文献１に開示されたものは、円形周面上にスリットがあることから、電線やケーブル等架空線が筒状網体から脱落し易く、また、後者の特許文献２に開示されたものは、装着については多少改善されるものの、その製作に非常な手間を要するなどの問題を残している。
【０００５】
【特許文献１】特開２０００−２４５０４２号公報
【特許文献２】実開平０４−４７３３７号公報
【発明の開示】
【発明が解決しようとする課題】
【０００６】
本発明は、上記従来の架空線用プロテクターが有する問題点に鑑み、架空線への装着が容易であるとともに、装着した架空線が筒状網体から脱落し難く、また経済性や耐久性に優れる架空線用プロテクターを提供することを目的とする。
【課題を解決するための手段】
【０００７】
上記目的を達成するため、本発明の架空線用プロテクターは、弾性を有する合成樹脂及び／又はゴムを主成分とする筒状網体からなり、その周壁の一部を内側に屈曲することにより形成された凹部を軸線方向に連続して形成するとともに、該凹部の底部にスリットを軸線方向に連続して形成したことを特徴とする。
【０００８】
この場合、筒状網体の目合いを、周方向のリング糸と軸線方向の直糸とが直交する角目に形成したり、横断面において、リング糸の断面係数が直糸よりも大きくなるようにしたり、リング糸の弾性率を直糸よりも大きくしたりすることができる。
【０００９】
また、筒状網体の目合いを、斜めの単糸が互いに交差する菱目に形成したり、横断面において、断面係数がより大きくなるよう単糸の断面形状を形成することができる。
【００１０】
また、網目が塞がれた所定幅の補強帯部を筒状網体に軸線方向にわたって形成し、該補強帯部に前記凹部とスリットを形成することができる。
【００１１】
この場合、複数本の補強帯部を軸線方向に形成することができる。
【００１２】
また、筒状網体の端部に、凹部とスリットを備えて他の筒状網体に外嵌する大径のスリーブを形成することができる。
【００１３】
また、筒状網体に炭素成分を均等に添加することができる。
【発明の効果】
【００１４】
本発明の架空線用プロテクターは、弾性を有する合成樹脂及び／又はゴムを主成分とする筒状網体からなり、その周壁の一部を内側に屈曲することにより形成された凹部を軸線方向に連続して形成するとともに、該凹部の底部にスリットを軸線方向に連続して形成することから、架空線を外から凹部に押し当てることにより、該凹部の案内によりスリットを開いて架空線を筒状網体の内部に挿入することができ、また、架空線の挿入後は、筒状網体がスリットを閉じた状態に復元するとともに、凹部の底部に形成されたスリットが内側からは開きにくい状態となり、架空線の筒状網体からのはみ出しや脱落を確実に防止することができ、さらに、凹部やスリットと筒状網体は一体成形できることから、架空線用プロテクターを容易かつ安価に製造することができる。
【００１５】
この場合、筒状網体の目合いを、周方向のリング糸と軸線方向の直糸とが直交する角目に形成したり、横断面において、リング糸の断面係数が直糸よりも大きくなるようにしたり、リング糸の弾性率を直糸よりも大きくしたりすることにより、リング糸の強度と弾力が増大し、凹部とスリットの復元力を高めて、架空線の筒状網体からのはみ出しや脱落をさらに確実に防止することができる。
【００１６】
また、筒状網体の目合いを、斜めの単糸が互いに交差する菱目に形成したり、横断面において、断面係数がより大きくなるよう単糸の断面形状を形成することにより、単糸の強度と弾力を増大し、凹部とスリットの復元力を高めて、架空線の筒状網体からのはみ出しや脱落をさらに確実に防止することができる。
【００１７】
また、網目が塞がれた所定幅の補強帯部を筒状網体に軸線方向にわたって形成し、該補強帯部に前記凹部とスリットを形成することにより、筒状網体の強度と弾力をさらに増大させるとともに、凹部とスリットの復元力を高めて、架空線の筒状網体からのはみ出しや脱落をさらに確実に防止することができる。
【００１８】
また、複数本の補強帯部を軸線方向に形成することにより、筒状網体の強度と弾力をさらに増大させることができる。
【００１９】
また、筒状網体の端部に、凹部とスリットを備えて他の筒状網体に外嵌する大径のスリーブを形成することにより、架空線用プロテクター同士の接続を容易にすることができ、また、筒状網体に炭素成分を均等に添加することにより、架空線用プロテクターの耐久性や耐候性等を向上させることができる。
【発明を実施するための最良の形態】
【００２０】
以下、本発明の架空線用プロテクターの実施の形態を、図面に基づいて説明する。
【実施例１】
【００２１】
図１に、本発明の架空線用プロテクターの第１実施例示す。
この架空線用プロテクター１は、弾性を有する合成樹脂及び／又はゴムを主成分とする筒状網体２からなり、その周壁の一部に、網目が塞がれた所定幅の補強帯部２５を軸線方向にわたって直線状に形成するとともに、該補強帯部２５に、周壁が内側に陥没するＶ又はＵ字状の凹部３を軸線方向に連続して直線状に形成し、該凹部３の底部にスリット３０を軸線方向に連続して直線状に形成している。
【００２２】
筒状網体２は、その目合いが、周方向のリング糸２１と軸線方向の直糸２２とが直交する角目２０に形成されており、横断面において、リング糸２１の断面係数が直糸２２よりも大きくなるように形成されている。
また、リング糸２１を形成する合成樹脂及び／又はゴムの弾性率を、当該リング糸２１の材質を適宜選択することによって、直糸２２を形成する合成樹脂及び／又はゴムの弾性率よりも大きくしている。
【００２３】
かくして、本実施例の架空線用プロテクター１は、筒状網体２の周壁の一部を内側に屈曲することにより形成された凹部３を軸線方向に連続して形成するとともに、該凹部３の底部にスリット３０を軸線方向に連続して形成することから、架空線１０を外から凹部３に押し当てることにより、該凹部３の案内によりスリット３０を開いて架空線１０を筒状網体２の内部に挿入することができ、また、架空線１０の挿入後は、筒状網体２がスリット３０を閉じた状態に復元するとともに、凹部３の底部に形成されたスリット３０が内側からは開きにくい状態となり、架空線１０の筒状網体２からのはみ出しや脱落を確実に防止することができ、さらに、凹部３やスリット３０と筒状網体２は一体成形できることから、架空線用プロテクターを容易かつ安価に製造することができる。
そして、網目が塞がれた所定幅の補強帯部２５を筒状網体２に軸線方向にわたって形成し、該補強帯部２５に前記凹部３とスリット３０を形成したことにより、筒状網体２の強度と弾力をさらに増大させるとともに、凹部３とスリット３０の復元力を高めて、架空線１０の筒状網体２からのはみ出しや脱落をさらに確実に防止することができる。
【００２４】
また、筒状網体２の目合いを、リング糸２１と直糸２２とが直交する角目２０に形成し、リング糸２１の断面係数を直糸２２よりも高くなるようその形状を形成することで、相対的にリング糸２１の強度と弾力が増大し、凹部３とスリット３０の復元力が高まり、嵌入後の筒状網体２から架空線１０のはみ出しや脱落をさらに確実に防止することができる。
そして、リング糸２１の弾性率を直糸２２よりも大きくすることにより、リング糸２１の強度と弾力を増大させ、凹部３のスリット３０の復元力をより高めて、架空線１０の筒状網体２からのはみ出しや脱落をさらに確実に防止することができる。
【００２５】
なお、筒状網体２を形成する合成樹脂には、汎用性の高い、ポリビニル系の塩化ビニルや酢酸ビニル等、ポリオレフィン系のポリエチレン、ポリプロピレン等、これら合成樹脂の混合体、これら合成樹脂とエチレン−酢酸ビニル等の共重合体類やエラストマー類や変性ポリオレフィン類等のとの混合物がより好適に使用でき、また、ゴムは、天然、ブチル系等合成や合成樹脂との混合体を問わず殆どの種類のものを使用することができ、中でも、ポリオレフィン系のポリエチレン、ポリプロピレンは経済的であり最適に使用することができる。
【実施例２】
【００２６】
図２に、本発明の架空線用プロテクターの第２実施例を示す。
この架空線用プロテクター１は、弾性を有する合成樹脂及び／又はゴムを主成分とする筒状網体２からなり、その周壁の一部を内側に屈曲することにより形成されたＶ又はＵ字状の凹部３を軸線方向に連続して直線状に形成し、該凹部３の底部にスリット３０を軸線方向に連続して直線状に形成している。
筒状網体２は、その目合いを、斜めの単糸２４が互いに交差する菱目２３に形成している。
この場合、図示省略するが、筒状網体２の横断面において、同様に、断面係数がより高い数値になるよう単糸２４の形状を形成してもよく、また、筒状網体２の単糸２４を形成する合成樹脂やゴムには、より弾性力の高い材質の品種を適宜選択することができる。
【００２７】
かくして、本実施例の架空線用プロテクター１は、その周壁の一部を内側に屈曲することにより形成された凹部３を軸線方向に連続して形成するとともに、該凹部３の底部にスリット３０を軸線方向に連続して形成することから、架空線１０を外から凹部３に押し当てることにより、該凹部３の案内によりスリット３０を開いて架空線１０を筒状網体２の内部に挿入することができ、また、架空線１０の挿入後は、筒状網体２がスリット３０を閉じた状態に復元するとともに、凹部３の底部に形成されたスリット３０が内側からは開きにくい状態となり、架空線１０の筒状網体２からのはみ出しや脱落を確実に防止することができ、さらに、凹部３やスリット３０と筒状網体２は一体成形できることから、架空線用プロテクターを容易かつ安価に製造することができる。
また、筒状網体２の目合いを、斜めの単糸が互いに交差する菱目２３に形成したり、横断面において、断面係数がより大きくなるよう単糸２４の断面形状を形成することにより、単糸２４の強度と弾力を増大し、凹部３とスリット３０の復元力を高めて、架空線１０の筒状網体２からのはみ出しや脱落をさらに確実に防止することができる。
【実施例３】
【００２８】
図３に、本発明の架空線用プロテクターの第３実施例を示す。
この架空線用プロテクター１は、弾性を有する合成樹脂及び／又はゴムを主成分とする筒状網体２からなり、その周壁の一部に、網目が塞がれた所定幅の補強帯部２５を軸線方向にわたって直線状に形成するとともに、該補強帯部２５に、周壁を内側に屈曲することにより形成されたＶ又はＵ字状の凹部３を軸線方向に連続して直線状に形成し、該凹部３の底部にスリット３０を軸線方向に連続して直線状に形成している。
また、この架空線用プロテクターは、図３（ａ）に示すように、凹部３とスリット３０を形成した補強帯部２５の対面に、さらにもう１つの補強帯部２６を設けている。この補強帯部２６も、筒状網体２の網目を所定幅塞いだもので、筒状網体２の軸線方向にわたって直線状に形成されている。
この場合、補強帯部２６を設ける箇所は特に限定されないが、設計に応じて適宜間隔を開けて規則性を持たせて設けることができる。
【００２９】
また、凹部３と対面する補強帯部２６には、図３（ｂ）に示すように、筒状網体２の内側に突出する軸線方向の凸条２７を設けたり、図３（ｃ）に示すように、筒状網体２の外側に突出する軸線方向の凸条２７を設けたりすることができる。
このように、凹部３と対面する補強帯部２６に凸条２７を設けることにより、筒状網体２の復元力をさらに増大させることができる。
【実施例４】
【００３０】
図４に、本発明の架空線用プロテクターの第４実施例を示す。
この架空線用プロテクターは、前記第１〜３実施例と同じように構成する架空線用プロテクター１において、筒状網体２の端部に、凹部３とスリット３０を備えて他の筒状網体２に外嵌する大径のスリーブ４を形成したものであり、これにより、架空線用プロテクター同士の接続を容易にしている。
スリーブ４は、同じ網目を有して筒状網体２と一体に形成されており、該スリーブ４の凹部とスリットは、筒状網体２の凹部３とスリット３０に外嵌するように同形状に設けられている。
この場合、スリーブ４は、筒状網体２の端部を加熱して拡径させることにより形成したり、別体のスリーブ４を筒状網体２の端部に溶着又は接着することにより形成する等、形成形態とその手段は適宜選択でき、また、別体のスリーブ４は、網体以外の形態、例えば、通常の筒状体等の任意の形態を採用することができる。
また、この架空線用プロテクターは、合成樹脂及び／又はゴムを主成分とする筒状網体２には、炭素成分が均等に添加されており、これにより、架空線用プロテクターの耐久性や耐候性等を向上させている。
【００３１】
以上、本発明の架空線用プロテクターを実施例に基づいて説明したが、例えば、筒状網体の網目形状は、角目や菱目の他、丸や楕円（小判形）、六角（亀甲形）、三角等を適宜選択しうるなど、本発明は上記実施例に記載した構成に限定されるものではなく、その趣旨を逸脱しない範囲において適宜その構成を変更することができる。
【産業上の利用可能性】
【００３２】
本発明の架空線用プロテクターは、架空線への装着が容易であるとともに、装着した架空線が筒状網体から脱落し難く、また経済性や耐久性に優れることから、電線やケーブル等の架空線を氷雪害や鳥害から護るプロテクターとして好適に用いることができる。
【図面の簡単な説明】
【００３３】
【図１】本発明の架空線用プロテクター第１実施例を示し、（ａ）はその軸直交断面図、（ｂ）は部分正面図、（ｃ）は軸方向の部分拡大断面図である。
【図２】本発明の架空線用プロテクター第２実施例を示し、（ａ）はその軸直交断面図、（ｂ）は部分正面図である。
【図３】本発明の架空線用プロテクターの第３実施例を示し、（ａ）はその軸直交断面図、（ｂ）は他の例を示す軸直交断面図、（ｃ）はさらに他の例を示す軸直交断面図である。
【図４】本発明の架空線用プロテクターの第４実施例を示す斜視図である。
【符号の説明】
【００３４】
１    架空線用プロテクター
１０  架空線
２    筒状網体
２０  角目
２１  リング糸
２２  直糸
２３  菱目
２４  単糸
２５  補強帯部
２６  補強帯部
２７  凸条
３    凹部
３０  スリット
４    スリーブ
【図１】
2006060884.tif 000003
【図２】
2006060884.tif 000004
【図３】
2006060884.tif 000005
【図４】
2006060884.tif 000006